(57)【特許請求の範囲】
【請求項１】
肉厚養生シートまたはテント地等の樹脂シートを養生材として用い、アスベスト封じ込め工事のための作業空間を形成し、封じ込め剤の噴霧施工、乾燥を行った後、養生材をアスベスト材近傍に移設、固定することにより、養生材を内装材または、内装下地材として用いることを特徴とするアスベスト封じ込め・囲い込み工法。
【請求項２】
肉厚養生シートまたはテント地等の樹脂シートを養生材として用い、アスベスト封じ込め工事のための作業空間を形成する際、対象アスベスト材全面への薬剤吸着、薬剤霧の露点を超えたことによる結露によって、薬剤を浸透させるための空間を構成する補助養生シートを用い、封じ込め施工後、当該養生シートを養生材内部に折り込むことにより、補助養生シートの撤去、廃棄を回避したことを特徴とするアスベスト封じ込め・囲い込み工法。
【請求項３】
請求項１または２記載のアスベスト封じ込め・囲い込み工法施工後に当該養生材上に内装パネル、天井ボードなどの補強または美装資材をねじ止め等によって仕上げることを特徴とするアスベスト封じ込め・囲い込み工法。
【請求項４】
請求項１乃至３のいずれか１項記載のアスベスト封じ込め・囲い込み工法を実施する際、養生材等への負荷を最小にするため、先行して養生材等に開口端付きグローブボックスを取付け、グローブボックスの設置後、養生を完成することを特徴とするアスベスト封じ込め・囲い込み工法。
【請求項５】
前記グローブボックスの取付を養生材に行った場合、その取付口を施工後、点検口として使用することを特徴とする請求項１乃至４のうちいずれか１項記載のアスベスト封じ込め・囲い込み工法。
【発明の詳細な説明】
【技術分野】
【０００１】
本発明は、アスベスト封じ込め処理工法およびアスベスト囲い込み処理工法に関する。
【背景技術】
【０００２】
アスベスト粉塵の飛散防止としての囲い込み工事を効率よく行う目的で、シート材を使用して落下防止も合わせて対策する工法提案として特許文献１および２がある。また、作業空間を狭め、作業員が作業空間に立ち入ることなしに施工する封じ込め工法の提案として特許文献３がある。
【０００３】
文献１及び２で述べる効率的とは、いずれも梁などのアスベスト材処理に際して作業中のアスベスト材落下防止を提案し、建築物使用中の周辺への安全性を考慮したものである。特許文献３の養生シートをアスベスト材と距離を置いて貼ることは本発明と同様の考え方に見えるが、養生後繰り返し薬剤噴霧口を開口し、またその開口部のシールを繰り返すことは通常の養生シートではその強度が十分でなく危険を伴う。除去工事で周辺へのアスベスト粉塵飛散事故につながるのは養生シートを誤ってケレン棒で裂くことや養生シートに負荷を掛けることによってシート接着部が剥がれることによって起こっている。また、養生シート等をその後の囲い込み材とする発想ではない。
【先行技術文献】
【特許文献】
【０００４】
【特許文献１】特開２００７−３０３２１８号
【特許文献２】特開２００８−１１１３２０号
【特許文献３】特開２００９−１５０１２９号
【発明の概要】
【発明が解決しようとする課題】
【０００５】
室内天井部位、壁または梁などに施工されたアスベスト材は建物の継続利用の面からは、封じ込め工法または囲い込み工法によるアスベスト飛散防止処理が有効であるが、処理工法の適用にあたっては壁面および床面全面を密閉養生する手間と、結果、対策費用が嵩むことで対策は遅れがちである。封じ込め処理工法の場合、対策後でも生活空間には封じ込められたアスベスト材が存在していることから、接触、破損による再飛散の可能性が否定できないことおよび精神衛生上の問題から、適当な対策方法が求められていた。また、封じ込め処理工法を併用しない囲い込み工法では囲い込みに使用した材料の接続部分からの粉塵飛散が心配された。
【０００６】
本発明は、上記問題を解決することを課題としたものである。
【課題を解決するための手段】
【０００７】
上記課題を解決するために、本発明に係るアスベスト封じ込め・囲い込み工法は、肉厚養生シートまたはテント地等の樹脂シートを養生材として用い、アスベスト封じ込め工事のための作業空間を形成し、封じ込め剤の噴霧施工、乾燥を行った後、養生材をアスベスト材近傍に移設、固定することにより、養生材を内装材または、内装下地材として用いることを特徴とする。
【０００８】
或いは、本発明に係るアスベスト封じ込め・囲い込み工法は、肉厚養生シートまたはテント地等の樹脂シートを養生材として用い、アスベスト封じ込め工事のための作業空間を形成する際、対象アスベスト材全面への薬剤吸着、薬剤霧の露点を超えたことによる結露によって、薬剤を浸透させるための空間を構成する補助養生シートを用い、封じ込め施工後、当該養生シートを養生材内部に折り込むことにより、補助養生シートの撤去、廃棄を回避したことを特徴とする。
【０００９】
上記のいずれかの構成において、アスベスト封じ込め・囲い込み工法施工後に当該養生材上に内装パネル、天井ボードなどの補強または美装資材をねじ止め等によって仕上げるものとすることができる。
【００１０】
上記のいずれかの構成において、アスベスト封じ込め・囲い込み工法を実施する際、養生材等への負荷を最小にするため、先行して養生材等に開口端付きグローブボックスを取付け、グローブボックスの設置後、養生を完成するものとすることができる。
【００１１】
この場合にいう開口端付きグローブボックスは、たとえば特願２００９−２９９５８０に開示されるものとする。
【００１２】
上記のいずれかの構成においては、グローブボックスの取付を養生材に行った場合、その取付口を施工後、点検口として使用するようにすることもできる。
【００１３】
アスベスト材に接触しない梁や壁位置に、パッキン材を当て養生シートやテント地などの強度に富んだ材料を挟み、木製の角材や金属製アングルまた美装性を求める場合にはアルミニウム平板などを用い、ねじ止め等により固定し、養生空間を構成し、その開口部よりアスベスト封じ込め剤を噴霧し封じ込めを行う。封じ込め完了後、当該テント地などを天井面または壁面のよりアスベスト材の近接位置に再固定、その際、周囲の封じ込め処理に用いた養生シートをテント地内部に織り込む、またはさらに耐火ボード等を、テント地などを挟んだまま固定することにより囲い込みを完了する。
【発明の効果】
【００１４】
ひる石等を用いた天井のアスベスト対策に封じ込め処理を行った場合、完了後も居住者の頭上には常にアスベスト材が存在し、精神衛生上の問題があったが、テント地やボードなどが天井面や壁面を覆うことにより、誤って物品をぶつけることがあっても全くアスベスト材を傷めることのない室内が完成する。
【図面の簡単な説明】
【００１５】
【図１】本発明の一実施形態（天井材対策例）に係り、難燃シート（テント地）を使用した施工例を示し、噴霧工法に必要な空間を確保し、作業者はアスベストに触れることなく施工を行うことを示す図である。
【図２】本発明の一実施形態（天井対策後）に係り、封じ込め施工後、難燃シート内に養生シートを折り込み、周囲を固定した状態を示す図である。
【図３】本発明の一実施形態（天井耐火ボードによる仕上げ）に係り、封じ込め施工後さらに天井ボードを固定した状態を示す図である。
【発明を実施するための形態】
【００１６】
以下、図面を参照して本発明について説明する。天井部位のアスベスト材対策を例に図示する。図１は、難燃シート（テント地）を使用した施工例を示した。噴霧工法に必要な空間を確保し、作業者はアスベストに触れることなく施工を行う。図２は、封じ込め施工後、難燃シート内に養生シートを折り込み、周囲を固定した状態である。図３は封じ込め施工後さらに天井ボードを固定した状態である。
【実施例】
【００１７】
一般住宅の天井部位のアスベスト（ひる石）対策の例について説明する。本発明の特徴となる部分について記述し、特段の記述がない作業でも関連法規に則った施工を行うものである。北側天井下部壁材にパッキン材を当て、東西南北方向に長さに余裕を持った難燃シート（テント地）をアルミニウム製平板で押さえてねじ止めする。先に電灯線位置および火災報知機配線位置に合わせて穿孔した難燃シートの穴にそれぞれの配線を通し、周囲をテープ養生する。南側のシート端に架台に固定した開口端付きグローブボックスを取り付け、周囲を通常の０．１５ｍｍ厚養生シートで２重養生する。
【００１８】
グローブボックスに装着したノズルより大臣認定封じ込め材料を規定量噴霧する。
【００１９】
乾燥後、難燃シート（テント地）周辺の養生シートを内部に折り込みながら、シート南側を北側同様に固定、さらに東西方向を同様に固定する。電灯および警報機を固定、必要であれば、天井の縦横方向の適当な間隔にアルミニウム製平板などのシート押さえ材をねじ止めする。シート周囲の平板下端で余剰のシートを切断する。
【００２０】
天井表面材に難燃シート（テント地）を残さない場合は通常の養生シートを用い、封じ込め作業後撤去することで封じ込め処理済みの仕上げとしても構わない。
【００２１】
難燃シート（テント地）を使用せず、通常の養生シートで封じ込め処理を行い、乾燥後天井パネル材を養生シートを押さえ込む形で施工してもよい。
【００２２】
アスベスト材に浮き、剥がれ、垂れさがりなどがある場合には、養生に注意して作業を進め、封じ込め剤噴霧施工後、養生シート上からコテ押さえなどの補修を行い、その後の作業を行う。
【００２３】
難燃シートやパネルでの仕上げを行う場合には、養生後の封じ込め処理を表面固化で行うことも可能である。
【産業上の利用可能性】
【００２４】
本発明は建築物のアスベスト対策として施工性と安全性に優れる工法を提供することにより、建築物の永続使用を約束するから、本発明は経済的価値を有するとともに産業上利用することができる発明である。
【符号の説明】
【００２５】
１  アスベスト材
２  電灯線
３  養生材
４  シート押さえ
５  パッキン材
６  グローブボックス
７  補助養生シート
８  噴霧ノズル
９  架台
１０  ビス止め
１１  耐火ボード
【図１】
0005331094.tif 000002
【図２】
0005331094.tif 000003
【図３】
0005331094.tif 000004